(57)【要約】      （修正有）【課題】設置及び撤去が容易で、撤去作業の際には廃棄物の発生が少ないと共に、設置場所の空気の流れを阻害せず、病原性微粒物質を滞留させるおそれがなく、外観も斬新である仮設用間仕切りを提供する。【解決手段】仮設用間仕切りは、天面２から下方に向って長孔が複数個等間隔で形成され、天面２を上向きにして設置場所に横臥せしめられる下台１と、直立する様に長孔に差し込まれる棒状体４と、棒状体４同士を繋ぐ為に棒状体４の上端面間に固定される振れ止め金具６とから構成する。【選択図】図５
0003232386.tif 000002
【実用新案登録請求の範囲】
【請求項１】
１．  一対の対向した側面と天面とを有する長尺状をなし、Ｌ字型に屈曲した平面形状を有する下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定されるL字型ユニットと、一対の対向した側面と天面とを有する長尺状をなした下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定される直線状ユニットとからなり、これらＬ字型ユニットと直線状ユニットとを適宜組合せることにより、施設内の空間を仕切る様にしたことを特徴とする仮設用間仕切り。
２．  長孔が天面の長手方向に向って平行に２列形成されていることを特徴とする請求項１記載の仮設用間仕切り。
３．  下台が形成されている長孔及びこれに差し込まれる棒状体の断面が四角形であることを特徴とする請求項１記載の仮設用間仕切り。
【考案の詳細な説明】
【技術分野】
【０００１】
この考案は、仮設用間仕切り、詳しくは展示会場や催事会場などの仮設の施設において用いられる間仕切りに関するものである。
【背景技術】
【０００２】
施設内の内部空間を仕切る壁体である間仕切りは、展示会場や催事会場などの仮設の施設においても、多く用いられている。
【先行技術文献】
【特許文献】
【０００３】
【特許文献１】なし
【非特許文献】
【０００４】
【非特許文献１】なし
【考案の概要】
【考案が解決しようとする課題】
【０００５】
従来の仮設施設用の間仕切りにおいては、予め工場において塗装したり、設置現場でクロス貼りすることなどが行われている。
しかし、仮設施設用の間仕切りは、その特性上、設置及び撤去を簡単迅速に行えることが肝要であり、工場での塗装や設置現場でのクロス貼りなどは、コスト面や作業時間の面から決して好ましいのもではなかった。又、撤去作業の際には、再利用できない多くの廃棄物が発生していた。
【０００６】
又、従来の間仕切りは、単なる衝立状を呈しており、設置場所の空気の流れを阻害しがちで、ウイルスなどの病原性微粒物質を滞留させる危険があり、公衆衛生の面からも問題があった。
【０００７】
本考案者は、この仮設施設用の間仕切りに関する上記問題点を解決すべく研究を行った結果、設置及び撤去が容易で、撤去作業の際には廃棄物の発生が少ないと共に、設置場所の空気の流れを阻害せず、病原性微粒物質を滞留させるおそれがなく、外観も斬新である間仕切りを開発することに成功し、本考案としてここに提案するものである。
【課題を解決するための手段】
【０００８】
一対の対向した側面と天面とを有する長尺状をなし、Ｌ字型に屈曲した平面形状を有する下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定されるL字型ユニットと、一対の対向した側面と天面とを有する長尺状をなした下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定される直線状ユニットとから仮設用間仕切りを構成し、これらＬ字型ユニットと直線状ユニットとを適宜組合せて、施設内の空間を仕切る様にして上記課題を解決した。
【考案の効果】
【０００９】
この仮設用間仕切りを構成するＬ字型ユニットと直線状ユニットのそれぞれの下台をその天面が上を向く様に床面に載置し、それぞれの長孔に棒状体を差し込み、棒状体を縦格子状に並べ、これら棒状体群の上端面同士を振れ止め金具で繋ぎ、これらＬ字型ユニットと直線状ユニットとを適宜接続して所望の長さの間仕切りを構成する。
なお、縦格子状に並べられた棒状体群によって構成される側方の面は、展示パネルなどの掲示スペースとして利用することも可能である。
一方、この間仕切りを撤去しようとするときは、棒状体の上端面同士を繋いでいる振れ止め金具を外し、棒状体を下台から引き抜くだけで良い。
【００１０】
この様に、この仮設用間仕切りは、設置作業、撤去作業共極めて簡単で、撤去の際にクロスなどの廃棄物も出ないので、コスト面や作業効率の面あるいは環境保全の面で、従来の間仕切りよりはるかにすぐれている。又、棒状体は下台上に等間隔で整列しており、棒状体間の隙間を通して向こう側が透けて見えるので、従来の間仕切りでは期待出来ない明るい開放的な空間を形成することが出来る。
更には、棒状体間には隙間があり、設置場所の空気の流れを阻害しないので、ウイルス等の病原性微粒物質を滞留させず、公衆衛生上の効果も有する。
【図面の簡単な説明】
【００１１】
【図１】この考案に係る仮設用間仕切りを構成するＬ字型ユニットの斜視図
【図２】同じく、Ｌ字型ユニットを分解して描いた分解斜視図
【図３】この考案に係る仮設用間仕切りを構成する直線状ユニットの斜視図
【図４】同じく、直線状ユニットを分解して描いた分解斜視図
【図５】同じく、その使用方法の一例の斜視図
【図６】同じく、その使用方法の他例の斜視図
【考案を実施するための形態】
【００１２】
一対の対向した側面と天面とを有する長尺状をなし、Ｌ字型に屈曲した平面形状を有する下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定されているL字型ユニットと、一対の対向した側面と天面とを有する長尺状をなした下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定されている直線状ユニットとから仮設用間仕切りを構成し、これらＬ字型ユニットと直線状ユニットとを適宜組合せることにより、施設内の空間を仕切る様にした点に最大の特徴が存する。
【実施例】
【００１３】
この考案に係る仮設用間仕切りはＬ字型ユニット７と直線状ユニット８とから構成されるものであり、図中１は、一対の対向した側面９と天面２とを有する長尺状をなし、Ｌ字形に屈曲した平面形状を有する、Ｌ字型ユニット７の下台であり、その天面２には長手方向に沿って平行に２列、四角形断面の長孔３が下向きに等間隔で形成されており、この長孔３には四角形断面の棒状体４が取りはずし自在に差し込まれ、縦格子状に整然と整列している。そして、この棒状体４の上端面５の間にはこの棒状体４同士を繋ぐ梯子状の振れ止め金具６が固定されている。
【００１４】
一方、１０は前記Ｌ字型ユニット７と同様、一対の対向した側面９と天面２とを有する直線状ユニット８の下台であり、その天面２にはＬ字型ユニット７と同様、長手方向に沿って平行に2列、四角形断面の長孔３が下向きに等間隔に形成されており、この長孔３には同じ長さの棒状体４が取り外し自在に差し込まれ、縦格子状に整然と整列している。そして、この棒状体４の上端面５の間にも、この棒状体４同士を繋ぐ梯子状の振れ止め金具６が固定されている。
【００１５】
なお、この実施例においては、長孔３は天面２の長手方向に向って平行に２列形成されており、それに伴い、この長孔３に差し込まれる棒状体４の列も２列となっているが、長孔３は１列でもよく、その場合、棒状体４の列も１列となる。
【００１６】
又、この実施例においては、下台１及び１０に形成されている長孔３の断面及びこれに差し込まれる棒状体４の断面は四角形であるが、必ず四角形に限られるのではなく、円形の断面であったり、四角形以外の多角形断面であっても良い。更に、棒状体４は木材を素材としたが、合成樹脂や金属などを素材とするものでも良い。
【００１７】
この実施例は、上記の通りの構成を有するものであり、この仮設用間仕切りを構成するＬ字型ユニット７と直線状ユニット８のそれぞれの下台１と１０とを、その天面２が上を向く様に床面に載置し、それぞれの長孔３に棒状体４を差し込み、棒状体４を縦格子状に並べ、これら棒状体群の上端面５同士を振れ止め金具６で繋ぎ、これらＬ字型ユニット７と直線状ユニット８とを図５や図６に示す様に適宜接続して所望の長さの間仕切りとして用いる。
なお、縦格子状に並べられた棒状体群によって構成される側方の面は、展示パネルなどの掲示スペースとして利用することも可能である。
一方、この間仕切りを撤去しようとするときは、棒状体４の上端面５同士を繋いでいる振れ止め金具６を外し、棒状体４を下台１及び１０から引き抜くだけで良い。
【００１８】
この様に、この仮設用間仕切りは、設置作業、撤去作業共極めて簡単で、撤去の際にクロス等の廃棄物も出ないので、コスト面や作業効率の面で、従来の間仕切りよりはるかにすぐれている。また、棒状体４は下台１及び１０上に等間隔で並列し、棒状体４間の隙間を通して向こう側が透けて見えるので、従来の間仕切りでは期待できない明るい開放的な空間を形成することが出来る。
更には、棒状体４の間には隙間があり、空気の流れを阻害しないので、ウイルス等の病原性微粒物質を滞留させず、公衆衛生上の効果も有する。
【産業上の利用可能性】
【００１９】
展示会場や催事会場など、仮設の施設において大いに利用可能である。
【符号の説明】
【００２０】
１    下台
２    天面
３    長孔
４    棒状体
５    上端面
６    振れ止め金具
７    Ｌ字型ユニット
８    直線状ユニット
９    側面
１０    下台
【図１】
0003232386.tif 000003
【図２】
0003232386.tif 000004
【図３】
0003232386.tif 000005
【図４】
0003232386.tif 000006
【図５】
0003232386.tif 000007
【図６】
0003232386.tif 000008
【手続補正書】
【提出日】令和3年4月1日(2021.4.1)
【手続補正１】
【補正対象書類名】実用新案登録請求の範囲
【補正対象項目名】全文
【補正方法】変更
【補正の内容】
【実用新案登録請求の範囲】
【請求項１】
一対の対向した側面と天面とを有する長尺状をなし、Ｌ字型に屈曲した平面形状を有する下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定されるL字型ユニットと、一対の対向した側面と天面とを有する長尺状をなした下台の天面に、長手方向に沿って長孔が下向きに等間隔で形成され、この長孔に棒状体が取りはずし自在に差し込まれ、これら棒状体の上端面間には棒状体同士を繋ぐ振れ止め金具が固定される直線状ユニットとからなり、これらＬ字型ユニットと直線状ユニットとを適宜組合せることにより、施設内の空間を仕切る様にしたことを特徴とする仮設用間仕切り。
【請求項２】
長孔が天面の長手方向に向って平行に２列形成されていることを特徴とする請求項１記載の仮設用間仕切り。
【請求項３】
下台が形成されている長孔及びこれに差し込まれる棒状体の断面が四角形であることを特徴とする請求項１記載の仮設用間仕切り。